(57)【特許請求の範囲】
【請求項１】
ボス部の外周から径外方へ延びる中空状で先端が閉塞されている１または複数のノズル本体を備え、前記ボス部にて給水管路に接続されて洗浄室内に位置し、前記給水管路を通して供給される水洗用水を前記ノズル本体の一側に設けた複数のノズル穴を通して前記洗浄室内に噴出させる水洗用ノズルであり、前記ノズル本体は、一側に長手方向に延びる凹所を備え、同凹所に長手方向に間隔を保持して複数のノズル穴が形成されていることを特徴とする食器洗浄機の水洗用ノズル。
【請求項２】
ボス部の外周から径外方へ延びる中空状で先端が閉塞されている１または複数のノズル本体を備え、前記ボス部にて給水管路に接続されて洗浄室内に位置し、前記給水管路を通して供給される水洗用水を前記ノズル本体の両側に設けた複数のノズル穴を通して前記洗浄室内に噴出させる水洗用ノズルであり、前記ノズル本体は、両側に長手方向に延びる凹所を備え、これら両凹所に長手方向に間隔を保持して複数のノズル穴が形成されていることを特徴とする食器洗浄機の水洗用ノズル。
【請求項３】
給水管路の先端部に接続されて外方向に延びる１または複数のノズル本体を備えて洗浄室内に位置し、前記給水管路を通して供給される水洗用水を前記ノズル本体の一側に設けた複数のノズル穴を通して前記洗浄室内に噴出させる水洗用ノズルであり、前記ノズル本体は、一側に長手方向に延びる凹所を備え、同凹所に長手方向に間隔を保持して複数のノズル穴が形成されていることを特徴とする食器洗浄機の水洗用ノズル。
【請求項４】
給水管路の先端部に接続されて外方向に延びる１または複数のノズル本体を備えて洗浄室内に位置し、前記給水管路を通して供給される水洗用水を前記ノズル本体の両側に設けた複数のノズル穴を通して前記洗浄室内に噴出させる水洗用ノズルであり、前記ノズル本体は、両側に長手方向に延びる凹所を備え、これら両凹所に長手方向に間隔を保持して複数のノズル穴が形成されていることを特徴とする食器洗浄機の水洗用ノズル。
【請求項５】
請求項１〜４のいずれか一項に記載の食器洗浄機の水洗用ノズルであり、前記ノズル穴は、前記凹所にて前記ノズル本体の長手方向に交差する方向に延びる長穴状に形成されていることを特徴とする食器洗浄機の水洗用ノズル。
【請求項６】
請求項１〜４のいずれか一項に記載の食器洗浄機の水洗用ノズルであり、前記ノズル本体の凹所は断面Ｖ字状またはＵ字状を呈していて、前記ノズル穴は、同凹所の互いに拡開する両面に渡って延びる長穴状に形成されていることを特徴とする食器洗浄機の水洗用ノズル。
【請求項７】
請求項１〜４のいずれか一項に記載の食器洗浄機の水洗用ノズルであり、前記ノズル本体の凹所は断面Ｖ字状またはＵ字状を呈していて、前記ノズル穴は、前記凹所の互いに拡開する両面の一方の面または両方の面に長穴状または短穴状に形成されていることを特徴とする食器洗浄機の水洗用ノズル。
【請求項８】
請求項１〜７のいずれか一項に記載の水洗用ノズルであり、前記ノズル本体の先端開口部は蓋体にて閉塞されていて、同蓋体は周壁にノズル穴を備え、前記ノズル本体の先端開口部に取付角度を可変に組付けられて同先端開口部を閉塞していることを特徴とする食器洗浄機の水洗用ノズル。
【発明の詳細な説明】
【０００１】
【発明の属する技術分野】
本発明は、食器洗浄機の洗浄ノズルやすすぎノズル等、水洗用ノズルに関するものである。
【０００２】
【従来の技術】
食器洗浄機の洗浄ノズルやすすぎノズルの一形式として、ボス部の外周から径外方へ延びる中空状で先端が閉塞されている１または複数のノズル本体を備えるノズルがある。かかる形式の水洗用ノズルは、ボス部を中心として回転する回転式水洗用ノズルである。食器洗浄機の洗浄ノズルやすすぎノズルの他の形式として、給水管路の先端部に直接接続されて外方に延びる１または複数のノズル本体を備えるノズルがある。かかる形式の水洗用ノズルは、給水管路の先端部に固定されて回転を規制された固定式水洗用ノズルである。
【０００３】
本発明においては、これらの洗浄ノズルやすすぎノズルを総称して食器洗浄機の水洗用ノズルと称するが、これらの形式の水洗用ノズル（これらを一括して当該形式の水洗用ノズルと称する）は、給水管路にボス部を介してまたは直接接続されて洗浄室内に位置し、給水管路を通して供給される洗浄水やすすぎ水を、ノズル本体の一側に設けた複数のノズル穴を通して洗浄室内に噴出させて、洗浄室内に収容された各種の食器類を洗浄しまたはすすぐ。また、当該形式の水洗用ノズルにおいては、ノズル本体のノズル穴の形成部位がノズル本体の一側に、そこから外側へ円弧状に膨出する膨出部位に形成されていて、各膨出部位の略頂部に、長手方向の向きを互いに異にするノズル穴が形成されているのが一般である。
【０００４】
【発明が解決しようとする課題】
このように、当該形式の水洗用ノズルにおいては、ノズル本体の一側に、そこから外側へ円弧状に膨出する膨出部位が形成されていて、各膨出部位の略頂部にノズル穴が形成されていることから、洗浄工程やすすぎ工程において、水洗用ノズルから噴出する水洗用水（洗浄水、すすぎ水）は広角度には拡開せず、１個のノズル穴当たりの洗浄効果が低い。このため、当該形式の水洗用ノズルでは、ノズル穴を可能な限り多く形成している。
【０００５】
また、当該形式の水洗用ノズルを上側の洗浄ノズルとして使用した場合、食器洗浄終了時点においては、ノズル本体の各膨出部位に滞留する洗浄水がノズル穴を通して滴下する、謂所、後垂れが発生する。このような後垂れが発生する場合には、洗浄された食器類のすすぎ工程でのすすぎ時間を長くする必要がある。洗浄効率を上げるべくノズル穴を数多く形成した洗浄ノズルにおいては、洗浄水の後垂れの発生も多くなるとともに、後垂れの時間も長くなって、すすぎ工程でのすすぎ時間を一層長くする必要がある。
【０００６】
従って、本発明の第１の目的は、当該形式の水洗用ノズルにおいて、ノズル穴から噴出する水洗用水を広角度に拡開させることにより水洗効率を向上させることにあり、第２の目的は、当該形式の水洗用ノズルを上側の洗浄ノズルとして使用した場合の、洗浄工程終了時点での後垂れの発生を防止または大きく抑制することにある。
【０００７】
【課題を解決するための手段】
本発明は、食器洗浄機の水洗用ノズルに関し、特に、ボス部の外周から径外方へ延びる中空状で先端が閉塞されている１または複数のノズル本体を備えて、前記ボス部にて給水管路に接続されて洗浄室内に位置する回転式の水洗用ノズル、および、給水管路の先端部に直接接続されて外方向に延びる１または複数のノズル本体を備えて洗浄室内に位置する固定式の水洗用ノズルを適用対象とするものである。
【０００８】
しかして、本発明に係る食器洗浄機の水洗用ノズルにおいては、前記ノズル本体が一側または両側に長手方向に延びる凹所を備え、同凹所に長手方向に間隔を保持して複数のノズル穴が形成されていることを特徴とするものである。本発明に係る食器洗浄機の水洗用ノズルにおいては、下記のごとき種々の異なる形態に構成することができる。
【００１１】
本発明に係る水洗用ノズルの第１の形態は、前記ノズル穴を、前記凹所にて、前記ノズル本体の長手方向に交差する方向に延びる長穴状に形成する構成である。
【００１２】
本発明に係る水洗用ノズルの第２の形態は、前記ノズル本体の凹所を断面Ｖ字状またはＵ字状に形成して、前記ノズル穴を、同凹所の互いに拡開する両面に渡って延びる長穴状に形成する構成である。
【００１３】
本発明に係る水洗用ノズルの第３の形態は、前記ノズル本体の凹所を断面Ｖ字状またはＵ字状に形成して、前記ノズル穴を、同凹所の互いに拡開する両面の一方の面または両方の面に長穴状または短穴状に形成する構成である。
【００１４】
本発明に係るこれらの水洗用ノズルにおいては、前記ノズル本体の先端開口部を蓋体にて閉塞するようにして、同蓋体の周壁にノズル穴を備えた構成として、同蓋体を前記ノズル本体の先端開口部に取付角度を可変に組付けて、同先端開口部を閉塞する構成とすることができる。また、ノズル本体の凹所は、ノズル本体の長手方向に連続する形状としてもよく、また、ノズル穴の形成部位のみに位置する断続する形状としてもよい。
【００１５】
【発明の作用・効果】
本発明に係る水洗用ノズルにおいては、回転式ノズルおよび固定式ノズルにおいて、ノズル本体の一側または両側に設けた長手方向に延びる凹所に、長手方向に間隔を保持して複数のノズル穴を形成する構成を採っている。これにより、ノズル穴から噴出する水洗用水は凹所の形状に起因して広角度で拡開する状態を呈し、１個のノズル穴当たりの水洗効率を向上させる。このため、ノズル穴の水洗効率の向上に応じてノズル穴の数を減らすことができる。また、ノズル穴を同一形状のシンプルな形成にすることができ、ノズル穴の形成に簡単な加工手段を採ることが可能になる。
【００１６】
また、本発明に係る水洗用ノズルは、上下の各洗浄ノズルやすすぎノズルとして採用することができるが、上側の洗浄ノズルとして採用した場合には、食器類の洗浄終了時点での後垂れの発生を防止または大きく抑制することができる。
【００１７】
すなわち、本発明に係る水洗用ノズルにおいては、従来の洗浄ノズルが有する、ノズル穴の形成部位である膨出部位を廃止している。当該膨出部位は、ノズル本体の底部より下方へ膨出しているため洗浄水の滞留部を形成し、食器類の洗浄終了時点において後垂れを発生させる大きな原因となる。これに対して、本発明に係る水洗用ノズルでは当該膨出部位が存在しないことから、当該水洗用ノズルを上側の洗浄ノズルに採用した場合には、食器類の洗浄終了時点での後垂れの発生を防止または大きく抑制することができる。
【００１８】
本発明に係る水洗用ノズルにおいては、回転式ノズルにおいて、前記ノズル本体の先端開口部を蓋体にて閉塞するようにして、同蓋体を、その周壁にノズル穴を備えた構成として、ノズル本体の先端開口部に取付角度を可変に組付けて同先端開口部を閉塞する構成とすることができる。かかる構成によれば、蓋体のノズル穴の位置を調整することにより、各ノズル穴からの洗浄水の噴出による反力に起因するノズル本体の回転速度を制御して、洗浄効率を食器類の汚れの度合いに応じて調整することができる利点がある。
【００１９】
【発明の実施の形態】
以下、本発明を図面に基づいて説明する。図１および図２は、本発明が適用対象とする形式の水洗用ノズルの一例を上側の洗浄ノズルに、他の一例を上側のすすぎノズルに採用した食器洗浄機の例を示している。当該食器洗浄機においては、各種の構成部材が基台１１に取付けらているもので、基台１１のフレーム枠１１ａの上方の部位には、洗浄タンク１２、左右のラックレール１３ａ，１３ｂ、フロントガイド１４、トップパネル１５が一体に組付けられている。トップパネル１５の前面には、ドア１６がスプリング１６ａを介して組付けられている。なお、ドア１６には、その前面に開閉用の握手１６ｂを備えている。
【００２０】
また、基台１１のベースプレート１１ｂ上には、洗浄ポンプ１７、コントロールボックス１８、リンスタンク１９、クレンザーポンプ２１、および、図示しないすすぎポンプが組付けられている。なお、リンスタンク１９は、内部に加熱用のシーズヒータを備えている。クレンザーポンプ２１は、外付けの図示しないクレンザータンクからクレンザーを洗浄タンク１２内に供給すべく機能する。
【００２１】
当該食器洗浄機には、両ラックレール１３ａ，１３ｂに、ドア１６の閉止位置を規定するストッパ２２ａ，２２ｂが組付けられ、かつ、トップパネル１５には、ドア１６の開放位置を規定するストッパ２２ｃが組付けられている。また、トップパネル１５とドア１６間にはスプリング１６ａが介装されていて、スプリング１６ａは、ドア１６の開放時には、その開放状態を保持するとともに、ドア１６の閉鎖時には、その自重落下を防止すべく機能する。また、基台１１のフレーム枠１１ａの前面にはフロントパネル２３が、その両側面にはサイドパネル２４が、その背面には図示しないリヤパネルがそれぞれ組付けられている。
【００２２】
フロントパネル２３には、操作パネル２５が組込まれており、また、図示しないリヤパネルには、洗浄タンク１２および基台１１のベースプレート１１ｂと各パネルによって囲まれた内部から空気を排出するためのファンモータが組込まれている。ベースプレート１１ｂは、上板と下板の二重構造になっていて、これらの各板にそれぞれ設けた外気流入口１１ｃは水平方向に偏倚して設けられており、床面側からの水の侵入を防止する構成となっている。
【００２３】
洗浄タンク１２は、上方が開口する方形のもので、内部に所定量の洗浄水が貯留するように構成されており、底壁中央には、ロアヘッダ２６が底壁を貫通して一体的に組付けられている。また、底壁の前方に設けた凹所には、小さいな残滓を除去するためのポンプフィルタ２７が脱着可能に組付けられている。ポンプフィルタ２７は、オーバフローパイプ２８を一体に備えている。
【００２４】
また、洗浄タンク１２の中間段部には、水を前方に向けて誘導するための誘導スロープ２９と、大きな残滓を除去するためのタンクフィルタ３１ａ，３１ｂが脱着可能に組付けられている。洗浄タンク１２の中間段部の背面には、洗浄水の誘導ダクト３２、アッパヘッダ３３、すすぎ水の誘導パイプ３４が組付けられている。なお、洗浄タンク１２の底部の右側には、洗浄水を加熱するためのシーズヒータが組付けられているとともに、ヒータカバー３５が組付けられている。
【００２５】
ロアヘッダ２６は、下側の洗浄ノズル４１とすすぎノズル４２を、それぞれ回転可能に支持していて、洗浄水の誘導ダクトと洗浄タンク１２の底壁より下方に配設した図示しない誘導パイプを介して洗浄ポンプ１７に接続され、かつ、すすぎ水の誘導パイプと洗浄タンク１２の底壁より下方に配設した図示しない誘導パイプを介して図示しないすすぎポンプに接続されている。
【００２６】
洗浄工程では、ロアヘッダ２６には、洗浄タンク１２内の洗浄水が洗浄ポンプ１７から圧送される。圧送される洗浄水は、洗浄ノズル４１に供給されて、洗浄ノズル４１の各ノズル穴から噴出する。また、すすぎ工程では、ロアヘッダ２６には、図示しないすすぎポンプからリンスタンク１９内のすすぎ水が圧送される。圧送されるすすぎ水は、すすぎノズル４２に供給されて、すすぎノズル４２の各ノズル穴から噴出する。なお、洗浄ノズル４１およびすすぎノズル４２は、各ノズル穴から洗浄水、すすぎ水が噴出する際には、その反動で、ロアヘッダ２６に対して回転するようになっている。
【００２７】
アッパヘッダ３３は、上側の洗浄ノズル５０ａとすすぎノズル５０ｂを、それぞれ回転可能に支持していて、洗浄水の誘導ダクト３２と洗浄タンク１２の底壁より下方に配設した図示しない誘導パイプを介して洗浄ポンプ１７に接続され、かつ、すすぎ水の誘導パイプ３４と洗浄タンク１２の底壁より下方に配設した図示しない誘導パイプを介して図示しないすすぎポンプに接続されている。
【００２８】
洗浄工程では、洗浄タンク１２内の洗浄水が洗浄ポンプ１７からアッパヘッダ３３に圧送され、圧送される洗浄水は、洗浄ノズル５０ａに供給されて、洗浄ノズル５０ａの各ノズル穴から噴出する。また、すすぎ工程では、アッパヘッダ３３に、図示しないすすぎポンプからリンスタンク１９内のすすぎ水が圧送される。圧送されるすすぎ水は、すすぎノズル５０ｂに供給されて、すすぎノズル５０ｂの各ノズル穴から噴出する。なお、洗浄ノズル５０ａおよびすすぎノズル５０ｂは、各ノズル穴から洗浄水、すすぎ水が噴出する際には、その反動で、アッパヘッダ３３に対して回転するようになっている。
【００２９】
当該食器洗浄機においては、ドア１６を開いた状態で、食器類を収容したラックを両ラックレール１３ａ，１３ｂに沿って挿入して、上下の各ノズル間の所定の位置にセットする。その後、ドア１６を閉じて、フロントパネル２３に設けた操作パネル２５に配置した、例えば通常運転操作ボタンを押動操作して洗浄運転を開始する。運転操作ボタンを押動操作すると、コントロールボックス１８内の制御機器が洗浄ポンプ１７、クレンザーポンプ２１、すすぎポンプ等の被制御機器の作動を制御して、所定の洗浄工程が実行されるとともに、洗浄工程の終了後にはすすぎ工程が実行される。
【００３０】
洗浄工程においては、洗浄ポンプ１７から上下の各洗浄ノズル４１，５０ａにクレンザーを含有する洗浄水が圧送され、圧送された洗浄水は各ノズル穴を通して噴出して、ラック内に収容されている食器類を洗浄する。また、すすぎ工程においては、すすぎポンプから上下の両すすぎノズル４２，５０ｂにリンスを含有するすすぎ水が圧送され、圧送されたすすぎ水は各ノズル穴を通して噴出して、ラック内に収容されている洗浄後の食器類をすすぐ。
【００３１】
しかして、当該食器洗浄機を構成する上側の洗浄ノズル５０ａとしては、図３に示す水洗用ノズルを採用している。図３には、洗浄ノズル５０ａが、その下面側を上向きにした状態で示されている。当該洗浄ノズル５０ａは、円筒状のボス部５１と、ボス部５１の外周から径外方へ延びる中空状で先端が閉塞されている３本のノズル本体５２からなり、各ノズル本体５２には、複数の突出部位５３が形成されている。洗浄ノズル５０ａは、図示しないベアリングおよびカラーを介してアッパヘッダ３３に回転可能に組付けられている。これにより、当該洗浄ノズル５０ａは、回転式ノズルに構成されている。
【００３２】
当該洗浄ノズル５０ａにおいては、図３〜図６に示すように、ノズル本体５２はその下面側に、ノズル本体５２の長手方向に連続して延びる所定幅の凹所５２ａを備え、凹所５２ａの幅方向の略中央部に各突出部位５３が形成されている。凹所５２ａは、下方に拡開する大径の円弧状を呈するもので、ノズル本体５２の下面にてその内側へ膨出する形状に形成されている。また、各突出部位５３は、凹所５２ａからその外側に突出して形成されているもので、先端に向かって先細りする形状で横長状を呈している。各突出部位５３は、ノズル本体５２の長手方向に所定間隔を保持して形成されており、その先端部にノズル穴５３ａが形成されている。ノズル穴５３ａは、ノズル本体５２の長手方向に所定長さ延びる長穴状のものである。なお、当該洗浄ノズル５０ａは、ノズル本体５２の長手方向に連続して延びる所定幅の凹所５２ａを備えている点において、本発明に係る洗浄ノズルに類似する。
【００３３】
このように、当該洗浄ノズル５０ａにおいては、ノズル本体５２の下面側に設けた外側に膨出する突出部位５３の頂部に設けたノズル穴５３ａが位置しているため、食器類の洗浄終了時点では、ノズル穴５３ａの形成部位である突出部位５３へノズル本体５２内に残存する洗浄水が滞留することは皆無またはほとんどなく、食器類の洗浄終了時点での後垂れの発生を防止または大きく抑制することができる。
【００３４】
なお、当該洗浄ノズル５０ａにおいては、ノズル穴５３ａが下方へ膨出する突出部位５３の頂部に形成されていることから、ノズル穴５３ａが凹所５２ａ内に位置するにも関わらず、ノズル穴５３ａから噴出する洗浄水は広角度には拡開しないという不具合がある。
【００３５】
図７は、当該洗浄ノズル５０ａにおける突出部位およびノズル穴の変形した変形例を示しているもので、当該変形例に係る洗浄ノズル５０ｃにおいては、突出部位５４は、ノズル本体５２の凹所５２ａからその内側に突出していて、先端側に所定長さだけ先細り状に形成されている。ノズル穴５４ａは、突出部位５４の先端部に形成されている。当該洗浄ノズル５０ｃにおいても、当該洗浄ノズル５０ａと同様の作用効果を奏するものである。なお、当該洗浄ノズル５０ｃにおいては、ノズル穴５４ａがノズル本体５２の下面側に設けた上方へ膨出する突出部位５４の頂部に形成されていることから、ノズル穴５４ａから噴出する洗浄水は凹所５２ａ内に位置するのも関わらず、広角度には拡開しないという不具合がある。
【００３７】
図８は、本発明に係る洗浄ノズルの一例を、その下面側を上向きにした状態で示している。当該洗浄ノズル６０は、円筒状のボス部６１と、ボス部６１の外周から径外方へ延びる中空状で先端が閉塞されている３本のノズル本体６２を備えているもので、図示しないベアリングおよびカラーを介してアッパヘッダ３３に組付けられる。
【００３８】
当該洗浄ノズル６０においては、図８および図９に示すように、ノズル本体６２の下面側に、ノズル本体６２の長手方向に連続して延びる所定幅の凹所６２ａを備え、凹所６２ａの幅方向の略中央部に複数のノズル穴６２ｂが形成されている。凹所６２ａは、下方に拡開する円弧状を呈するもので、ノズル本体６２の下面にてその内側へ膨出する形状に形成されている。また、各ノズル穴６２ｂは長穴状のもので、凹所６２ａの頂部にて、ノズル本体５２の長手方向に所定間隔を保持して、かつ、ノズル本体６２の長手方向に対して直交して形成されている。なお、当該洗浄ノズル６０は、本発明に係る洗浄ノズルの第１の形態に該当する。
【００３９】
このように、当該洗浄ノズル６０においては、ノズル本体６２の下面側に設けたノズル本体６２の内側へ膨出する凹所６２ａにノズル穴６２ｂが位置しているため、食器類の洗浄終了時点では、ノズル穴６２ｂの形成部位である凹所６２ａには、ノズル本体６２内に残存する洗浄水が滞留することは皆無またはほとんどなく、食器類の洗浄終了時点での後垂れの発生を防止または大きく抑制することができる。
【００４０】
また、当該洗浄ノズル６０においては、ノズル穴６２ｂから噴出する洗浄水は凹所６２ａの側壁に沿って噴出して扇形状に拡開することから、１個のノズル穴６２ｂ当たりの洗浄効率が高くなり、洗浄効率の向上に対応してノズル穴６２ｂの数を減らすことができるとともに、ノズル穴６２ｂを同一形状に形成することができる。これにより、食器類の洗浄終了時点で後垂れを発生を一層防止または抑制することができ、かつ、ノズル穴６２ｂをシンプルに構成し得て簡単な加工手段を採ることができる。因みに、当該洗浄ノズル６０においては、ノズル穴６２ｂは、１本のノズル本体６２に対して２個形成している。
【００４１】
図１０は、当該洗浄ノズル６０の第１変形例に係る洗浄ノズル６０ａを示している。当該洗浄ノズル６０ａにおいては、ノズル本体６３の凹所６３ａはＶ字状を呈するもので、このＶ字状の凹所６３ａの頂部に各ノズル穴６３ｂが形成されている。従って、当該洗浄ノズル６０ａは、洗浄ノズル６０とは、実質的には凹所６３ａの断面形状を異にするのみであって、当該洗浄ノズル６０と同様の作用効果を奏するものである。なお、当該洗浄ノズル６０ａは、本発明に係る洗浄ノズルの第２の形態に該当する。
【００４２】
図１１は、当該洗浄ノズル６０の第２変形例に係る洗浄ノズル６０ｂを示している。当該洗浄ノズル６０ｂにおいては、ノズル本体６４の凹所６４ａは先端側へ拡開するＵ字状を呈するもので、このＵ字状の凹所６４ａを形成する両側壁に長穴状のノズル穴６４ｂが形成されている。従って、当該洗浄ノズル６０ｂにおいては、洗浄水は両ノズル穴６４ｂから、斜めに交差した状態で噴出して扇形状に拡開し、洗浄効率を向上させる。当該洗浄ノズル６０ｂは、当該洗浄ノズル６０と同様の作用効果を奏するものである。当該洗浄ノズル６０ｂは、本発明に係る洗浄ノズルの第３の形態に該当する。
【００４３】
なお、当該洗浄ノズル６０ｂにおいては、両ノズル穴６４ｂを互いに並列的に形成しているが、これら両ノズル６４ｂを図１１（ｃ）に示すように、ノズル本体の先端側に拡開するハの字状に形成することができる。両ノズル６４ｂをこのようなハの字形状に配設すれば、両ノズル穴６４ｂから噴出する洗浄水は当該洗浄ノズル６０ｂのボス部側に偏倚し、当該洗浄ノズル６０ｂの回転時の遠心力にて外側へ指向する洗浄水の偏倚を是正する。
【００４４】
図１２は、当該洗浄ノズル６０の第３変形例に係る洗浄ノズル６０ｃを示している。当該洗浄ノズル６０ｃにおいては、ノズル本体６５の凹所６５ａは先端側へわずかに拡開するＵ字状を呈するもので、このＵ字状の凹所６５ａを形成する両側壁の一方に円形状のノズル穴６５ｂが形成されている。ノズル穴６５ｂは、凹所６５ａを形成する他方の側壁に対向するもので、洗浄水はノズル穴６５ｂから、斜めに噴出して他方の側壁に衝突して扇形状に飛散し、洗浄効率を向上させる。従って、当該洗浄ノズル６０ｃにおいても、当該洗浄ノズル６０と同様の作用効果を奏するものである。なお、当該洗浄ノズル６０ｃは、本発明に係る洗浄ノズルの第３の形態に該当するもので、当該洗浄ノズル６０ｃにおいては、ノズル穴６５ｂを長穴状に変更することもできる。
【００４５】
図１３は、当該洗浄ノズル６０の第４変形例に係る洗浄ノズル６０ｄを示している。当該洗浄ノズル６０ｄにおいては、ノズル本体６６の凹所６６ａは先端側へ大きく拡開するＵ字状を呈するもので、このＵ字状の凹所６６ａを形成する両側壁に渡って長穴状のノズル穴６６ｂが形成されている。ノズル穴６６ｂは、凹所６６ａの長手方向および幅方向の両方向に対して交差して形成されていて、洗浄水はノズル穴６６ｂから、斜めに噴出して四方に拡開して飛散し、洗浄効率を向上させる。従って、当該洗浄ノズル６０ｄにおいても、当該洗浄ノズル６０と同様の作用効果を奏するものである。なお、当該洗浄ノズル６０ｄは、本発明に係る洗浄ノズルの第２の形態に該当する。
【００４６】
図１４は、本発明に係る水洗用ノズルを、上側のすすぎノズル５０ｂに採用するように構成した例を示している。すすぎノズル５０ｂは、図２に示すように、ボス部５５と、ボス部５５の外周から外方へ延びるノズル本体５６を備えている。ノズル本体５６においては、その上下両側に凹所５６ａが形成されていて、各凹所５６ａにノズル穴５６ｂ，５６ｃが形成されている。ノズル穴５６ｂ，５６ｃの形成部位および穴形状は、図９に示す洗浄ノズル６０と同様であって、すすぎ水は、各ノズル穴５６ｂ，５６ｃから扇形状に拡開して噴射してすすぎ効率を向上させる。当該すすぎノズル５０ｂは、食器類のすすぎと洗浄室の天井等の上方部位のすすぎを兼ね備えているもので、すすぎ水は、下側の各ノズル５６ｂからは下方に向けて拡開した状態で噴出して食器類を効率よくすすぎ、上側の各ノズル５６ｃからは上方に向けて拡開した状態で噴出して洗浄室の上方部位を効率よくすすぐ。
【００４７】
図１５は、ノズル本体の先端を開口して、先端開口部を蓋体にて閉塞する構成としてなる洗浄ノズルを示している。当該洗浄ノズル５０ｄは、洗浄ノズル５０ａとは、ノズル本体５７の先端部を円筒状に形成して開口させた点、および、蓋体５８をノズル本体５７の先端開口部に挿入して同先端開口部を閉塞している点で、洗浄ノズル５０ａとは相違し、その他の点は共通する構成となっている。ノズル本体５７の先端部における内周壁には、３個の固定用の突起５７ａが形成されている。
【００４８】
一方、蓋体５８は、大径筒部５８ａと小径筒部５８ｂからなる段付きの円筒状のもので、大径筒部５８ａの一端側は閉塞されており、小径筒部５８ｂはノズル本体５７の先端開口部から密に挿入可能な外径に設定されている。大径筒部５８ａにおいては、その周壁に、大径筒部５８ａの内孔５８ａ1に連通する周方向に延びる長穴状のノズル穴５８ｃが形成されている。小径筒部５８ｂにおいては、その周壁の外周面に略Ｌ字状のガイド溝５８ｄが３本形成されている。各ガイド溝５８ｄは、ノズル本体５７の各突起５７ａに対向して形成されているもので、各突起５７ａを嵌合した状態で移行可能に構成されている。
【００４９】
蓋体５８をノズル本体５７の先端開口部に取付けるには、各ガイド溝５８ｄに各突起５７ａを嵌合した状態で、小径筒部５８ｂ側をノズル本体５７の先端開口部から挿入する。これにより、蓋体５８はノズル本体５７の先端開口部に固定されて、Ｏリング５８ｅを介して先端開口部を液密的に閉塞する。この取付け状態において、蓋体５８を周方向へ回転させると、蓋体５８は各ガイド溝５８ｄに沿って周方向に回転し、大径筒部５８ａに設けたノズル穴５８ｃの位置が変更される。
【００５０】
かかる構成の洗浄ノズル５０ｄにおいては、蓋体５８にもノズル穴５８ｃを形成しているため洗浄効率を向上させることができるとともに、蓋体５８を回転せてノズル穴５８ｃの位置を変更することにより、各ノズル穴からの洗浄水の噴出による反力に起因するノズル本体５７の回転速度を制御して、洗浄効率を食器類の汚れの度合いに応じて調整することができる利点がある。
【００５１】
図１６は、食器洗浄機に装備した固定式の洗浄ノズル７０ａの例を示している。当該洗浄ノズル７０ａにおいては、ノズル本体７１は、図１６および図１７に示すように、断面長方形で長尺の箱状に形成されていて、一方の端部にて洗浄水の供給管路７０ｂに接続され、かつ、他方の端部にて洗浄水の還流管路７０ｃに接続されている。これにより、当該洗浄ノズル７０ａは、洗浄室７０ｄの上方の部位に、食器類を収容するラック７０ｅの上方に位置している。
【００５２】
しかして、当該洗浄ノズル７０ａにおいては、ノズル本体７１の下端部の両隅部の一方が内側へ円弧状に膨出する凹所７１ａに形成されており、かつ、下端部の両隅部の他方が内側へ直角状に突出する凹所７１ｂが形成されている。当該洗浄ノズル７０においては、これらの両凹所７１ａ，７１ｂに、ノズル穴７２ａ，７２ｂが形成されている。各ノズル穴７２ａ，７２ｂは、図１７（ｂ）に示すように、各凹所７１ａ，７１ｂの幅方向に延びる長孔状に形成されている。なお、当該洗浄ノズル７０は、図９に示す洗浄ノズル６０と同様に第１の形態に該当するもので、回転式および固定式の洗浄ノズルの固有の作動の点を除き、洗浄ノズル６０と同様の作用効果を奏するものである。
【図面の簡単な説明】
【図１】本発明が適用対象とする水洗用ノズルを上側の回転式の洗浄ノズルおよび上側のすすぎノズルに採用した食器洗浄機の外観を示す斜視図である。
【図２】同食器洗浄機の分解斜視図である。
【図３】同洗浄ノズルをその下面側を上にした状態で示す斜視図である。
【図４】同洗浄ノズルのノズル本体の下面側の一部を示す平面図である。
【図５】同洗浄ノズルにおける図４の５−５線に沿う断面図である。
【図６】同洗浄ノズルにおける図４の６−６線に沿う断面図である。
【図７】同洗浄ノズルの変形例に係る図６に対応する断面図である。
【図８】本発明に係る水洗用ノズルである一例である洗浄ノズルをその下面側を上にした状態で示す斜視図である。
【図９】同洗浄ノズルのノズル本体の下面側の一部を示す平面図（ａ）、および同図のｂ−ｂ線に沿う断面図（ｂ）である。
【図１０】同洗浄ノズルの第１変形例に係る洗浄ノズルにおけるノズル本体の下面側の一部を示す平面図（ａ）、および同図のｂ−ｂ線に沿う断面図（ｂ）である。
【図１１】同洗浄ノズルの第２変形例に係る洗浄ノズルにおけるノズル本体の図１０（ｂ）に対応する断面図（ａ）、同ノズル本体における凹所の一部を展開した部分展開図（ｂ）、および同ノズル本体に設けたノズル穴の配設状態の変形例を示す同図（ｂ）に対応する部分展開図（ｃ）である。
【図１２】同洗浄ノズルの第３変形例に係る洗浄ノズルにおけるノズル本体の図１１（ａ）に対応する断面図である。
【図１３】同洗浄ノズルの第４変形例に係る洗浄ノズルにおけるノズル本体の図１２に対応する断面図（ａ）、および同ノズル本体における凹所の部分展開図（ｂ）である。
【図１４】本発明に係る水洗用ノズルの一例であるすすぎノズルにおけるノズル本体の図１３（ａ）に対応する断面図である。
【図１５】本発明に係る水洗用ノズルである他の一例である洗浄ノズルの先端部と蓋体を示す一部切断側面図である。
【図１６】食器洗浄機に装備した固定式の洗浄ノズルの一例を示す側面図である。
【図１７】同洗浄ノズルにおけるノズル本体の縦断面図（ａ）、および同ノズル本体の一部を展開した部分展開図（ｂ）である。
【符号の説明】
１１…基台、１１ａ…フレーム枠、１１ｂ…ベースプレート、１１ｃ…外気流入口、１２…洗浄タンク１３ａ，１３ｂ…ラックレール、１４…フロントガイド、１５…トップパネル、１６…ドア、１６ａ…スプリング、１６ｂ…握手、１７…洗浄ポンプ、１８…コントロールボックス、１９…リンスタンク、２１…クレンザーポンプ、２２ａ，２２ｂ，２２ｃ…ストッパ、２３…フロントパネル、２４…サイドパネル、２５…操作パネル、２６…ロアヘッダ、２７…ポンプフィルタ、２８…オーバフローパイプ、２９…誘導スロープ、３１ａ，３１ｂ…タンクフィルタ、３２…誘導ダクト、３３…アッパヘッダ、３４…誘導パイプ、３５…ヒータカバー、４１…洗浄ノズル、４２…すすぎノズル、５０ａ，５０ｃ，５０ｄ…洗浄ノズル、５０ｂ…すすぎノズル、５１，５５…ボス部、５２，５６，５７…ノズル本体、５２ａ，５６ａ…凹所、５３，５４…突出部位、５３ａ，５４ａ，５６ｂ，５６ｃ…ノズル穴、５７ａ…突起、５８…蓋体、５８ａ…大径筒部、５８ａ1…内孔、５８ｂ…小径筒部、５８ｃ…ノズル穴、５８ｄ…ガイド溝、５８ｅ…Ｏリング、６０，６０ａ，６０ｂ，６０ｃ，６０ｄ…洗浄ノズル、６１…ボス部、６２，６３，６４，６５，６６…ノズル本体、６２ａ，６３ａ，６４ａ，６５ａ，６６ａ…凹所、６２ｂ，６３ｂ，６４ｂ，６５ｂ，６６ｂ…ノズル穴、７０ａ…洗浄ノズル、７０ｂ…供給管路、７０ｃ…還流管路、７０ｄ…洗浄室、７０ｅ…ラック、７１…ノズル本体、７１ａ，７１ｂ…凹所、７２ａ，７２ｂ…ノズル穴。
【図１】
0004011893.tif 000002
【図２】
0004011893.tif 000003
【図３】
0004011893.tif 000004
【図４】
0004011893.tif 000005
【図５】
0004011893.tif 000006
【図６】
0004011893.tif 000007
【図７】
0004011893.tif 000008
【図８】
0004011893.tif 000009
【図９】
0004011893.tif 000010
【図１０】
0004011893.tif 000011
【図１１】
0004011893.tif 000012
【図１２】
0004011893.tif 000013
【図１３】
0004011893.tif 000014
【図１４】
0004011893.tif 000015
【図１５】
0004011893.tif 000016
【図１６】
0004011893.tif 000017
【図１７】
0004011893.tif 000018